【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
アクティブ状態のプロセス、スタンバイ状態のプロセス、前記スタンバイ状態のプロセスをアクティブ状態に移行させるための切り換え能力を有する耐故障性プラットフォームにおいてネットワーク接続を提供する方法であって、
アクティブプロセスからスタンバイプロセスに、該アクティブプロセスのネットワーク接続の状態データを複製するステップと、
前記スタンバイプロセスについて、前記複製されたデータで更新された対応するスタンバイネットワーク接続を維持するステップと、
前記アクティブ状態への前記スタンバイプロセスの移行中に、前記アクティブシステム内の前記ネットワーク接続を、該ネットワーク上の該接続を閉じることなく非活動化し、前記スタンバイプロセスにネットワークアドレスを転送し、該ネットワークアドレスで前記対応するスタンバイ接続を活動化するステップと、を含み、
前記移行したスタンバイプロセスが前記ネットワーク接続を再開する必要がないようにする、耐故障性プラットフォームにおいてネットワーク接続を提供する方法。
【請求項２】
前記スタンバイプロセスの前記ネットワークアドレスを活動化するステップは、前記スタンバイ接続が活動化される前に実行される、請求項２に記載の方法。
【請求項３】
前記アクティブプロセスの前記接続を監視するステップと、該接続のアイドル状態が識別されたことに応答して前記状態データの複製を起動するステップと、を含む、請求項１または２に記載の方法。
【請求項４】
接続の状態データを複製する前記ステップは、前記アクティブプロセスが前記接続を用いることができる間に実行される、請求項３に記載の方法。
【請求項５】
それぞれ異なるネットワークアドレスを有するアクティブプロセスおよびスタンバイプロセスの複数の対を維持するステップを含む、請求項１から４のいずれかに記載の方法。
【請求項６】
前記ネットワークアドレスはＩＰアドレスである、請求項１から５のいずれかに記載の方法。
【請求項７】
アクティブ状態のプロセス、スタンバイ状態のプロセス、および該スタンバイ状態のプロセスをアクティブ状態に移行させるための切り換え手段を有する耐故障性プラットフォームであって、
アクティブプロセスに関連付けられた接続から状態データを抽出する第１の接続マネージャと、
前記アクティブプロセスに関連付けられたネットワーク接続の状態データをスタンバイプロセスに複製する複製マネージャと、
前記スタンバイプロセスについて、前記複製されたデータで更新された対応するスタンバイネットワーク接続を維持する第２の接続マネージャとを備え、
前記切り換え手段は、前記スタンバイプロセスのアクティブ状態への移行の一部として、前記アクティブシステム内の前記ネットワーク接続を、該ネットワーク上の該接続を閉じることなく非活動化し、ネットワークアドレスを前記スタンバイプロセスに転送し、該ネットワークアドレスで前記対応するスタンバイ接続を活動化するように構成されており、
前記移行したスタンバイプロセスが前記ネットワーク上で前記接続を再開する必要がないようにするプラットフォーム。
【請求項８】
前記複製マネージャは、個別のソフトウエアモジュールの形をとる、請求項７に記載のプラットフォーム。
【請求項９】
前記第１および／または第２の接続マネージャは、個別のソフトウエアモジュールの形をとる、請求項７または８に記載のプラットフォーム。
【請求項１０】
各プロセスは、命令セットを形成するアプリケーションソフトウエア層と、オペレーティングシステムソフトウエア層と、伝送制御プロトコルを適用することができるソフトウエア層とを提供し、
前記システムは、前記アクティブ接続の前記状態データを複製することができるプロセスを提供し、該プロセスは、少なくとも部分的に、前記アクティブプロセスの前記アプリケーション層によって実行される、請求項７から９のいずれかに記載のプラットフォーム。
【請求項１１】
それぞれ異なるネットワークアドレスを有する、アクティブプロセスおよびスタンバイプロセスの複数の対を維持することを含む、請求項７から１０のいずれかに記載のプラットフォーム。
【請求項１２】
前記ネットワークアドレスはＩＰアドレスである、請求項７から１１のいずれかに記載のプラットフォーム。
【請求項１３】
アクティブ状態のプロセスをサポートする手段、スタンバイ状態のプロセスをサポートする手段、および該スタンバイ状態のプロセスをアクティブ状態に移行させるための切り換え能力を有する耐故障性プラットフォームであって、
ネットワーク接続は、関連付けられたプロセスが前記ネットワーク接続を閉じるか、または該関連付けられたプロセスが終わる度に、該ネットワーク接続が前記ネットワーク上で閉じられる第１の状態と、関連付けられたプロセスが前記ネットワーク接続を閉じるか、または該関連付けられたプロセスが終わるときに、該ネットワーク接続が該ネットワーク上で閉じられない第２の状態とをとることができ、
前記プラットフォームは、プログラム制御下で前記接続を前記第１の状態と前記第２の状態との間で切り換え、接続状態情報を抽出し、該接続状態情報を設定することを可能にするアプリケーションプログラミングインターフェースを含み、
前記接続状態情報は、ネットワークアドレスを前記スタンバイ接続に転送することにより、前記ネットワーク上で接続が再開されることを必要とすることなく、アクティブプロセスから複製された前記状態情報で更新され維持されたスタンバイネットワーク接続が、移行したスタンバイプロセスによって用いられることを可能にするような情報である耐故障性プラットフォーム。
【請求項１４】
アクティブ状態のプロセス、スタンバイ状態のプロセス、および該スタンバイ状態のプロセスをアクティブ状態に移行させるための切り換え能力とを有する耐故障性プラットフォームにおいてネットワーク接続を提供するための方法であって、
アクティブプロセスからスタンバイプロセスに、該アクティブプロセスのネットワーク接続の状態データを複製するステップと、
前記スタンバイプロセスについて、前記複製されたデータで更新された対応するスタンバイネットワーク接続を維持するステップと、
前記スタンバイ状態のプロセスをアクティブ状態に移行させるステップとを含み、
前記スタンバイ状態のアクティブ状態への移行中に、前記アクティブシステム内の前記ネットワーク接続を、該ネットワーク上の該接続を閉じることなく非活動化し、ネットワークアドレスを前記スタンバイプロセスに転送し、該ネットワークアドレスで前記対応するスタンバイネットワーク接続を活動化し、該移行したスタンバイプロセスが前記ネットワーク上で前記接続を再開する必要がないようにする、方法。
【請求項１５】
アクティブ状態のプロセス、スタンバイ状態のプロセス、および該スタンバイ状態のプロセスをアクティブ状態に移行させるための切り換え能力とを有する耐故障性プラットフォームにおいてインターネットプロトコル（ＩＰ）ネットワーク接続を提供する方法であって、
アクティブプロセスからスタンバイプロセスに、該アクティブプロセスのネットワーク接続の状態データを複製するステップと、
前記スタンバイプロセスについて、前記複製されたデータで更新された対応するスタンバイネットワーク接続を維持するステップと、
前記スタンバイ状態のプロセスをアクティブ状態に移行させるステップとを含み、
前記スタンバイ状態のアクティブ状態への移行中に、前記アクティブシステム内の前記ネットワーク接続を、該ネットワーク上の該接続を閉じることなく非活動化し、ＩＰネットワークアドレスを前記スタンバイプロセスに転送し、該ＩＰネットワークアドレスで前記対応するスタンバイネットワーク接続を活動化し、前記移行したスタンバイプロセスが前記ネットワーク上で前記接続を再開する必要がないようにし、
前記スタンバイプロセスの前記ネットワークアドレスを活動化するステップは、前記スタンバイ接続が活動化される前に実行される、方法。